(57)【要約】【課題】  フィルタの排出孔から排出された流体を受けて所望の場所に流出させるドレインカップを提供する。【解決手段】  ドレインカップ４０を、上部が開口した開口部４６を有し内部空間４８が形成された有底円筒状のカップ本体４１と、このカップ本体４１の底面から下方に延びて取付けられ、内部に内部空間４８と連通する第２流路５０が形成されたホース４４と、開口部４６に取付けられたマグネット４５とから構成し、このドレインカップ４０を、有底円筒状のケース３を有し、内部の流体を排出する排出孔２６が形成されたフィルタ１の下方から、開口部４６に排出孔２６を挿入するとともに、マグネット４５でケース３に取付けられる。そして、排出孔２６から排出される流体をカップ本体４１で受けてホース４４の流路から外部に流出させる。【選択図】  図３
2005095736.tif 000002
【特許請求の範囲】
【請求項１】
上部が開口した開口部を有して内部空間が形成された有底円筒状のカップ本体と、
前記カップ本体の底面から下方に延びて取付けられ、内部に前記内部空間と連通する流路が形成されたホースと、
前記開口部に取付けられた結合部材とからなり、
有底円筒状のハウジングを有し、前記ハウジングに内部の流体を排出する排出孔が形成されたフィルタの下方から、前記開口部に前記排出孔を挿入するとともに、前記結合部材で前記ハウジングに取付けて、前記排出孔から排出される流体を前記カップ本体で受けて前記ホースの前記流路から外部に流出させるように構成したことを特徴とするドレインカップ。
【請求項２】
前記ハウジングが金属製材料で形成され、前記結合部材がマグネットで構成されたことを特徴とする請求項１に記載のドレインカップ。
【請求項３】
前記フィルタが前記排出孔を塞ぐプラグを有して構成され、
前記フィルタに取付けられた状態で、前記排出孔から前記プラグを取り外すときに前記プラグを取り外す工具を前記内部空間に挿入する作業窓が前記カップ本体の側部に形成されていることを特徴とする請求項１または２に記載のドレインカップ。
【請求項４】
前記フィルタが前記排出孔を塞ぐプラグを有して構成され、
前記カップ本体に対して軸方向に相対回転可能に取付けられて前記プラグと前記内部空間で嵌合するプラグ取外し部を有し、
前記フィルタに取付けられたときに、前記プラグ取外し部が前記プラグと嵌合し、前記プラグ取外し部を軸方向に回転させることにより、前記プラグを取り外すように構成されたことを特徴とする請求項１または２に記載のドレインカップ。
【請求項５】
前記カップ本体の下部の前記内部空間に、前記プラグが取り外されて落下したときに捕捉する金網を有することを特徴とする請求項３または４に記載のドレインカップ。
【請求項６】
前記カップ本体と前記ホースとが疎結合して取付けられた係合部を有し、前記カップ本体と前記ホースとが前記係合部において軸方向に相対回転可能に構成されたことを特等とする請求項１〜５のいずれかに記載のドレインカップ。
【請求項７】
前記ホースの下端部に、延長用ホースを接続可能なように構成されたことを特徴とする請求項１〜６のいずれかに記載のドレインカップ。
【発明の詳細な説明】
【技術分野】
【０００１】
本発明は、オイル等の流体の濾過に用いられるフィルタのフィルタエレメント交換時に、このフィルタから流体を排出する際の飛散を防止するためのドレインカップに関し、特に詳細には、金属製ケースを有するスピンオンフィルタに用いられるドレインカップに関する。
【背景技術】
【０００２】
オイル等の流体を濾過するフィルタは、例えば、エンジンケース等に形成されたフィルタヘッドと、このフィルタヘッドに着脱自在な有底円筒状のケース及び、このケース内に配設された円筒状のフィルタエレメントから構成されている（このようなフィルタは、「スピンオンフィルタ」と呼ばれる）。このフィルタヘッドには流入孔及び流出孔が形成されており、流入孔からケース内のフィルタエレメントより外側の空間に導入された流体をフィルタエレメントの外周面から内部を内周面に向かって通過させて、このフィルタエレメントが有する濾材で濾過して流体に含まれる固形物等を捕捉除去する。フィルタエレメントを通過した流体は固形物等が除去された清浄な状態でフィルタエレメントの内部空間に流入し、この内部空間から流出孔を通って外部に流出される。そのため、この濾材で一定量の固形物等を捕捉すると濾材が目詰まりしてフィルタの濾過能力が低下することとなり、一般的にフィルタは内部のフィルタエレメントを定期的に交換する必要がある。
【０００３】
フィルタエレメントを交換する場合、内部に流体が溜まった状態でケースを外すと、流体が外部に流出して周囲に飛散等するため、このようないフィルタにおいては、内部に溜まっている流体を外部に排出させるために、ケースの下部に排出孔を有している（例えば、特許文献１参照）。そのため、フィルタエレメントの交換に際しては、まず、フィルタ内部に溜まった流体をこの排出孔から外部に排出させる作業が必要である。排出孔から排出された流体は、フィルタの下方に用意されたバケツ等の受け皿に集められる。
【特許文献１】平成９−１７３７１６号公報
【発明の開示】
【発明が解決しようとする課題】
【０００４】
しかしながら、フィルタ等の取付け場所によっては、受け皿の設置場所が限定されて作業効率が悪化したり、排出孔から流出した流体が地面及び周辺機器等へたれ・漏れ・飛散して、環境的に好ましくないという課題があった。
【０００５】
本発明はこのような課題に鑑みなされたものであり、フィルタの排出孔から排出された流体を受けて所望の場所に流出させるドレインカップを提供することを目的とする。
【課題を解決するための手段】
【０００６】
前記課題を解決するために、本発明に係るドレインカップは、上部が開口した開口部を有して内部空間が形成された有底円筒状のカップ本体と、このカップ本体の底面から下方に延びて取付けられ、内部に内部空間と連通する流路（例えば、実施形態における第２流路５０）が形成されたホースと、開口部に取付けられた結合部材（例えば、実施形態におけるマグネット４５）とから構成される。このドレインカップは、有底円筒状のハウジング（例えば、実施形態におけるケース３）を有し、ハウジングに内部の流体を排出する排出孔が形成されたフィルタの下方から、開口部に排出孔を挿入するとともに、結合部材でハウジングに取付けられる。そして、排出孔から排出される流体をカップ本体で受けてホースの流路から外部に流出させる。
【０００７】
なお、ハウジングが金属材料で形成され、結合部材がマグネットで構成されることが好ましい。
【０００８】
また、フィルタが、排出孔を塞ぐプラグを有して構成され、ドレインカップがフィルタに取付けられた状態で、排出孔からプラグを取り外すときにこのプラグを取り外す工具を内部空間に挿入する作業窓がカップ本体の側部に形成されていることが好ましい。
【０００９】
あるいは、ドレインカップが、カップ本体に対して軸方向に相対回転可能に取付けられてプラグと嵌合するプラグ取外し部を有するように構成し、このドレインカップがフィルタに取付けられたときに、プラグ取外し部がプラグと嵌合し、プラグ取外し部を軸方向に回転させることにより、プラグを取り外すように構成されることが好ましい。
【００１０】
このとき、カップ本体の下部の内部空間に、プラグが取り外されて落下したときに捕捉する金網を有するように構成されることが好ましい。
【００１１】
さらに、カップ本体とホースとが疎結合して取付けられた係合部を有し、カップ本体とホースとが係合部におてい軸方向に相対回転可能に構成されることが好ましい。
【００１２】
また、ホースの下端部に、延長用ホースを接続可能なように構成されることが好ましい。
【発明の効果】
【００１３】
本発明に係るドレインカップを以上のような構成にすると、排出孔をカップ本体で覆って、排出孔から排出する流体をこのカップ本体で受けることにより、フィルタから排出される流体のたれ・漏れ・飛散を防止することができる。さらに、ホースにより流体の排出経路を自由に取ることができるため、排出された流体を受ける受け皿の配置場所等の制限が少なくなり、作業効率を向上させることができる。
【００１４】
また、ハウジングが金属材料で形成されたフィルタに対して、本発明に係るドレインカップを取付ける結合部材をマグネットとして構成することにより、特殊な取付け構造が不要となり、既存のフィルタに対しても使用することができる。
【００１５】
また、フィルタの排出孔に取付けられたプラグを取り外す工具を挿入するための作業窓をカップ本体に形成することにより、このドレインカップをフィルタに取付けた状態で、プラグを外して流体の排出を行うことができるため、流体を飛散させずに、確実に排出することができる。
【００１６】
あるいは、ドレインカップにプラグを取り外すためのプラグ取外し部を設けることによっても、このドレインカップをフィルタに取付けた状態でプラグを外すことができ、また、流体の飛散を完全に防止することができる。
【００１７】
このとき、取り外されたプラグが落下したときに捕捉する金網をカップ本体の下部の内部空間に有することにより、外したプラグを容易に取出すことができる。
【００１８】
さらに、カップ本体とホースとを疎結合にして取付けて相対回転可能にすることにより、フィルタからケースを取り外す際に、このケースを回転させてもホースは回転せず、捻れることがない。
【００１９】
また、ホースの下端部に延長ホースを接続可能にすることにより、排出された流体を受ける受け皿の設置場所の制限がさらに少なくなり、作業効率を向上させることができる。
【発明を実施するための最良の形態】
【００２０】
以下、本発明の好ましい実施形態について図面を参照して説明する。まず、本発明に係るドレインカップが用いられるフィルタ１として、スピンオンフィルタについて図２を用いて説明する。フィルタ１は、フィルタヘッド２とこのフィルタヘッド２に着脱自在に取付けられる有底円筒状で上部に開口部を有するとともに下部が閉塞して内部に空間が形成されたケース３とを有する。このケース３は有底円筒状で金属製のケース部材４と、ケース部材４の上部にある開口部の内周面に取付けられ、その内周面に雌ネジ部５ａが形成された円筒状の雌ネジ部材５とから構成されている。このケース３の上端部には、Ｏ−リング１３が配設されており、ケース３がフィルタヘッド２に取付けられたときに、フィルタヘッド２とケース３に密接して内部の流体が外部に流出しないようにシールしている。
【００２１】
また、ケース部材４の底部には上下に貫通したドレイン取付孔４ａが形成されており、このドレイン取付孔４ａにドレイン部材２５が嵌合し、ドレイン部材２５とケース部材４が溶接で接合されている。このためドレイン部材２５とドレイン取付孔４ａとの間がこの溶接によりシールされる。このドレイン部材２５には内部に上下に貫通する排出孔２６が形成されており、排出孔２６の下端開口部にはプラグ２８が螺挿されて取付けられている。このプラグ２８にはシール部材２９が配設されており、フィルタ１を使用中はこのプラグ２８により排出孔２６の下端開口部は塞がれている。
【００２２】
一方、フィルタヘッド２の下面には、下方に突出した連結部６が形成されている。この連結部６は、外側円筒部７と内側円筒部８とを有して２重円筒状に形成されている。このため、外側円筒部７の内周面と内側円筒部８の外周面との間には上下に延びる断面リング状の外側通路９が形成され、この外側通路９の上部はフィルタ１の外部に連通する流入孔１０に連通し、下部は開放されている。また、内側円筒部８には上下に延びて貫通する内側通路１１が形成されており、上部においてフィルタ１の外部に連通する流出孔１２に連通し、下部は開放されている。
【００２３】
なお、図２に示すように、内側円筒部８の方が外側円筒部７より下方の突出量が多く、この内側円筒部８の外側円筒部７より下方に突出した部分は上部８ａより径が細くなったフィルタ取付部８ｂが形成されている。また、内側円筒部８の上部８ａの下面には後述するフィルタエレメント１４のガスケット２０が当接する第２シール面８ｃが形成されており、この第２シール面８ｃと外側円筒部７の下面は略同一平面上に位置するように形成されている。さらに、外側円筒部７の外周面には雄ネジ部７ａが形成されている。また、外側円筒部７の外周側にあるフィルタヘッド２の下面には、フィルタヘッド２にケース３が取付けられたときに、上述のＯ−リング１３が当接する第１シール面２ａが形成されている。
【００２４】
このように構成されたフィルタ１は、ケース３の上部に形成された雌ネジ部５ａにフィルタヘッド２に形成された雄ネジ部７ａを螺挿することにより、フィルタヘッド２とケース３とを嵌合することができる。このフィルタヘッド２とケース３とが螺合されて囲まれた空間にフィルタエレメント１４が配設される。
【００２５】
フィルタエレメント１４は、その円周面に多数の小孔１５ａが形成された円筒状のインナーチューブ１５と、インナーチューブ１５の外周面に濾紙を蛇腹状に折り畳み円筒状に巻き付けられた断面菊花状の濾材１６とを有し、このインナーチューブ１５と濾材１６の円筒軸方向両端面を円盤状の上エンドプレート１７及び下エンドプレート１８で挟持して構成される。上エンドプレート１７の中心部には板厚方向に貫通する開口部１７ａが形成されており、フィルタエレメント１４の内部空間（インナーチューブ１５の内周面と上下エンドプレート１７，１８で囲まれており、以降の説明では「内周空間１９」と呼ぶ）に連通している。
【００２６】
この上エンドプレート１７の開口部１７ａの直径は上述のフィルタ取付部８ｂの外径よりやや大きく形成されており、開口部１７ａの内周部に密接して上エンドプレート１７の上下の面に突出するように断面コの字状でリング状のガスケット２０が配設されている。このガスケット２０を取付けた際の開口部１７ａの内径（ガスケット２０の内径）は、フィルタ取付部８ｂの外径よりやや小さくなるようにガスケット２０が形成されている。
【００２７】
フィルタエレメント１４の下エンドプレート１８の下面には、上方に窪んだバネ受け部１８ａが形成されている。このフィルタエレメント１４をフィルタ１に取付けるときは、ケース３の底面にバネ２３を配設し、フィルタエレメント１４を下エンドプレート１８が下方になるようにケース３に挿入する。このとき、バネ２３はフィルタエレメント２３の底面と下エンドプレート１８に挟まれて保持される。そして、上エンドプレート１７に形成された開口部１７ａからフィルタヘッド２のフィルタ取付部１８ｂを挿入するようにしてケース３及びフィルタエレメント１４をフィルタヘッド２に取付ける。
【００２８】
このとき、上述のようにガスケット２０の内径はフィルタ取付部８ｂの外径よりやや小さく形成されているため、ガスケット２０の内周面とフィルタ取付部８ｂの外周面は密接する。そして、上述のようにケース３に形成された雌ネジ部５ａとフィルタヘッド２に形成された雄ネジ部７ａを螺合すると、ケース３の上部に取付けられたＯ−リング１３が第１シール面２ａに当接するとともに、フィルタエレメント１４がバネ２３を圧縮するため上方に押し上げられて、フィルタエレメント１４の上エンドプレート１７に配設されたガスケット２０の上部が内側円筒部８に形成された第２シール面８ｃに当接する。
【００２９】
フィルタエレメント１４の直径はケース３の内径よりやや小さく形成されているため、ケース３内にはフィルタエレメント１４より外側の空間、つまり、ケース３の内面とフィルタエレメント１４の外周面に囲まれた外周空間２１が形成される。また、ガスケット２０は上エンドプレート１７の上下の面に突出するように形成されているため、フィルタエレメント１４がフィルタ１に取付けられた状態では、フィルタヘッド２の下面と上エンドプレート１７の上面の間にはガスケット２０により空間２２が形成される。そのため、フィルタヘッド２に形成された外側通路９と外周空間２１は空間２２を介して連通することになる。また、内側円筒部８のフィルタ取付部８ｂが、フィルタエレメント１４の内周空間１９に突出するため、内側通路１１はフィルタエレメント１４の内周空間１９に連通する。このとき、ガスケット２０は、第２シール面８ｃ及びフィルタ取付部８ｂに密接しているため、上エンドプレート１７の開口部１７ａは空間２２に対してシールされており、フィルタヘッド２とケース３とで形成される空間は、フィルタエレメント１４により内周空間１９と外周空間２１とに分離されている。
【００３０】
以上のように構成されたフィルタ１の流入孔１０からオイル等の流体を外周空間２１に導入すると、フィルタエレメント１４の外周面から濾材１６を通過してインナーチューブ１５の小孔１５ａから内周空間１９に流入する。この濾材１６を流体が通過するとき、流体に含まれる固形物等が捕捉されて除去されるため、内周空間１９に流入した流体は清浄な状態となっている。そして、内周空間１９にある清浄な流体は流出孔１２から外部に流出する。
【００３１】
フィルタエレメント１４の濾材１６で一定量以上の固形物等を捕捉すると、濾材１６が目詰まりして濾過能力が低下するため、このフィルタエレメント１４を新しい物に取替える必要がある。フィルタエレメント１４をフィルタ１から取り外す手順は、上述の取付ける手順を逆にすることで可能であるが、通常、内部には流体が残留しているため、この状態でフィルタヘッド２からケース３を取り外すと内部の流体が周囲に飛散してしまう。そのため、まず、ドレイン部材２５に螺挿されているプラグ２８を外し、排出孔２６から内部に溜まった流体を排出させる作業を行う。
【００３２】
このとき、排出孔２６の下方にバケツ等の受け皿Ｂを置いて排出される流体をこの受け皿Ｂで集めるが、フィルタ１が取付けられている位置によっては受け皿Ｂを置く場所が制限されてしまい作業の自由度が低くなる。そのため、フィルタ１から流体を排出する場合は、本発明に係るドレインカップ４０を用いて作業を行う。それでは、このドレインカップ４０について説明を行う。ドレインカップ４０は、図３に示すように、フィルタ１の下部に位置するドレイン部材２５を覆うように取付けられ、このドレイン部材２５の排出孔２６から流出する流体を周囲に飛散させずに、所定の位置（バケツ等）に集めて排出するものである。
【実施例１】
【００３３】
まず、第１実施例について図１及び図３を用いて説明する。ドレインカップ４０は、上部が開口した開口部４６を有して内部空間４８が形成された碗状（有底円筒状）のカップ本体４１と、このカップ本体４１の底面から下方に突出して円筒状に形成され、内部に上下に貫通して内部空間４８に連通する第１流路４９を有する接続部４３と、この接続部４３に接続されて内部に形成された第２流路５０が第１流路４９と連通されたホース４４とから構成される。このドレインカップ４０におけるカップ本体４１の側部（円筒面）には作業窓４２が形成されており、カップ本体４１の内部空間４８に連通している。また、カップ本体４１の上端には、開口部４６を囲むようにリング状のマグネット４５が取付けられている。また、ホース４４は、その第２流路５０に接続部４３が挿入されるように接続されている。
【００３４】
フィルタ１は、濾過する流体に対する耐圧性や強度のためにそのケース部材４は上述のように金属材料で形成されている。そのため、ドレインカップ４０を、フィルタ１の下方から、開口部４６にドレイン部材２５を挿入するように取付けると、ケース部材４にマグネット４５が吸着してドレインカップ４０がフィルタ１に固定される。このとき、フィルタ１のドレイン部材２５は、カップ本体４１に覆われており、ドレン部材２５の下部及びプラグ２８は内部空間４８内に位置する。そして、作業窓４２から工具Ｔを内部空間４８に挿入してドレイン部材２５からプラグ２８を取り外す。プラグ２８が取り外されると、フィルタ１内に滞留した流体が排出孔２６からカップ本体４１の内部空間４８に流出し、接続部４３の第１流路４９及びホース４４の第２流路５０を流れて、ホース４４の下端開口部から外部に流出して受け皿Ｂに溜まる。
【００３５】
なお、取り外したプラグ２８が内部空間４８に落下したときに、作業窓４２から取出し易いように、作業窓４２の下方でカップ本体４１の下部に、内部空間４８の内周面に接するように金網４７を設けることが好ましい。ドレイン部材２５から外れて落下したプラグ２８はこの金網４７に捕捉されるため、プラグ２８が接続部４３やホース４４まで落下することがなく、作業窓４２から容易に取出すことができる。
【００３６】
本発明に係るドレインカップ４０を以上のような構成にすると、フィルタ１に取付ける際に、特殊な取付け構造を必要とせず、金属製のケース３（ケース部材４）で構成されたフィルタ１に対して、また、既存のフィルタ１に対してもこのドレインカップ４０を使用することが可能である。また、ドレインカップ４０は、マグネット４５でフィルタ１に吸着して取付けられるため、取付け及び取り外し作業が容易である。さらに、ホース４４により、流体の排出経路を自由に取ることができるため、フィルタ１から排出された流体を受ける受け皿Ｂ等を置く位置の制限が少なくなり、作業効率が向上する。そのため、フィルタ１からの流体のたれ・漏れ・飛散を防止する効果があり、どのような環境下でもフィルタ１が取付けられた周辺機器等を汚すことなくフィルタ１から流体の排出及びフィルタエレメント１４の交換作業を行うことができる。
【００３７】
以上のようにして、排出孔２６からフィルタ１内の流体を排出した後、ケース３を回転させてフィルタヘッド２から取り外す。このケース３の取り外しの間もフィルタエレメント１４の内周空間１９に溜まった流体等が排出孔２６から外部に流出するため、ドレインカップ４０はフィルタ１に取付けた状態でケース３の取り外し作業を行うことが好ましい。しかしながら、ケース３を回転させると、ドレインカップ４０も同時に回転するため、ホース４４が捻れてしまい、このホース４４の下端部が受け皿Ｂから飛び出す等して、流体が周囲に飛散する可能性がある。
【００３８】
そこで、図４に示すように、接続部４３の外周部に環状に突出する係合凸部４３ａを形成し、一方、この接続部４３に取付けられるホース４４の上端部に、係合凸部４３ａに対応して、内周面から外方に環状に窪む係合凹部４４ａを形成し、この係合凸部４３ａと係合凹部４４ａとを係合させて係合部５１を構成する。このような構成とすると、接続部４３とホース４４とが係合部５１で疎結合となり、円筒軸方向に対して互いに相対回転可能となる。そのため、ケース３とカップ本体４１が円筒軸方向に回転しても、ホース４４は同軸回転することがなく捻れることがないため、ホース４４の下端部は常に受け皿Ｂ内に位置するため、安定して排出した流体を集めることができる。
【００３９】
なお、フィルタ１と受け皿Ｂの設置場所との間の距離があるときに、延長用ホース５０を用いるために、図４に示すようにホース４４の下端部に延長用接続部４４ｂを形成し、この延長用接続部４４ｂに延長用ホース５０を接続するように構成することも可能である。このような構成とすると、受け皿Ｂの設置場所の制限がさらに少なくなり、作業効率を向上させることができる。
【実施例２】
【００４０】
以上の第１実施例においては、カップ本体４１に作業窓４２を設けて、この作業窓４２から工具Ｔを挿入してプラグ２８を外すように構成していたが、この場合、作業窓４２から流体が飛散する可能性がある。そこで、第２実施例として、プラグ２８を取り外す機構を組み込んだドレインカップ４０′とし、外部に流体が飛散しないようにした場合について図５及び図６を用いて説明する。なお、第１実施例と同様の構成については同じ符号を付して説明を省略する。
【００４１】
本第２実施例において、カップ本体４１は、上カップ４１ａと下カップ４２ａとから構成される。この上カップ４１ａの下部外周面には、環状に突出する上係合凸部６２ａが形成されており、一方、下カップ４１ｂの上部外周面には、環状に突出する下係合凸部６３ａが形成されている。そして、この上カップ４１ａと下カップ４１ｂとを繋ぐように、プラグ取外し部６０が取付けられている。
【００４２】
プラグ取外し部６０は、カップ本体４１（４１ａ，４１ｂ）の径よりはやや大きい内径を有する円筒状の結合部６１と、この結合部６１の円筒軸方向略中央部の内周面から中心方向に延びる４本のハブ６４と、ハブ６４につながり結合部６１の中心に位置するプラグ嵌合部６５とから構成されている。このプラグ嵌合部６５には、プラグ２８と略同一形状をして上下に貫通し、プラグ２８と嵌合するプラグ嵌合孔６６が形成されている。また、結合部６１の円筒軸方向上部と下部の内周面には環状に窪んで、それぞれ上述の上下係合凸部６２ａ，６３ａと係合する上係合凹部６２ｂと下係合凹部６３ｂとが形成されている。さらに、結合部６１の外周面からは外方に延びる２本のハンドル６７が形成されている。
【００４３】
このプラグ取外し部６０は、結合部６１の内周面が上カップ４１ａと下カップ４１ｂの外周面に近接して位置し、この上下カップ４１ａ，４１ｂに上下から挟まれるように結合している。このとき、上カップ４１ａとプラグ取外し部６０は、上係合凸部６２ａ及び上係合凹部６２ｂが係合した上係合部６２で疎結合し、下カップ４１ｂとプラグ取外し部６０は、下係合凸部６３ａと下係合凹部６３ｂが係合した下係合部６３で疎結合しており、上カップ４１ａ，プラグ取外し部６０及び下カップ４１ｂは、互いに円筒軸回りに相対回転可能である。
【００４４】
このように構成されたドレインカップ４０′をフィルタ１に取付けると、マグネット４５がケース３に吸着するとともに、内部空間４８においてプラグ取外し部６０のプラグ嵌合孔６６がプラグ２８と嵌合する。そして、ハンドル６７によりプラグ取外し部６０を回転させると、このプラグ取外し部６０が上下カップ４１ａ，４１ｂに対して相対回転するため、プラグ嵌合部６５も回転し、プラグ２８が排出孔２６から取り外される。このとき、取り外されたプラグ２８は、プラグ嵌合孔６６を通って内部空間４８を下方に落下し、金網４７に捕捉される。
【００４５】
以上のような構成によると、ドレインカップ４０′がフィルタ１に取付けられた状態で、プラグ２８を取り外してフィルタ１から流体を排出させることができる。また、本第２実施例においては、ドレインカップ４０′がフィルタ１に取付けられた状態では、排出孔２６がこのドレインカップ４０′によって完全に覆われるため、周囲に流体が飛散することもない。
【００４６】
なお、第１実施例では、フィルタ１からケース３を取り外す際にホース４４の捻れを防止するために、接続部４３とホース４４を係合部５１で疎結合にして相対回転可能に構成したが、本第２実施例の場合、上カップ４１ａとプラグ取外し部６０とが相対回転可能であり同様の効果を得ることができるため、第１実施例における係合部５１を設けなくてもホース４４は捻れない。
【００４７】
また、本発明に係るドレインカップ４０は、図２を用いて説明したフィルタ１に限定されるわけではなく、排出孔２６（ドレイン部材２５）が底部に形成されている構成のものであれば利用できることは言うまでもない。
【図面の簡単な説明】
【００４８】
【図１】本発明の第１実施例に係るドレインカップを示す斜視図である。
【図２】本発明に係るドレインカップが用いられるフィルタを示す断面図である。
【図３】フィルタに第１実施例に係るドレインカップを取付けた状態を示す断面図である。
【図４】カップ本体に対してホースが相対回転可能に構成した第１実施例に係るドレインカップを示す断面図である。
【図５】本発明の第２実施例に係るドレインカップを示す断面図である。
【図６】プラグ取外し部を示す平面図である。
【符号の説明】
【００４９】
１  フィルタ
３  ケース（ハウジング）
２６  排出孔
２８  プラグ
４１  カップ本体
４２  作業窓
４４  ホース
４５  マグネット（結合部材）
４６  開口部
４７  金網
４８  内部空間
４９  係合部
５０  第２流路（流路）
５２  延長長ホース
６０  プラグ取外し部
Ｔ  工具
【図１】
2005095736.tif 000003
【図２】
2005095736.tif 000004
【図３】
2005095736.tif 000005
【図４】
2005095736.tif 000006
【図５】
2005095736.tif 000007
【図６】
2005095736.tif 000008